(57)【要約】【課題】空気中に含まれているホルムアルデヒドを、高精度にかつ簡便に測定可能にする。【解決手段】塩基性フクシンより作製されたシッフ試薬５．０ｍｌと例えば質量パーセント濃度が９６％の濃硫酸１ｍｌとを水に溶解して全量を１１ｍｌとした検知剤溶液１０１を、容器１０２の中に作製し、検知剤溶液１０１に、平均孔径４ｎｍの多孔質ガラスである多孔体１０３を２４時間浸漬し、多孔体１０３の孔内に検知剤溶液を含浸させた後、これを乾燥して検知素子１０３ａを作製する。検知素子１０３ａには、シッフ試薬及び酸（硫酸：Ｈ2ＳＯ4）よりなる検知剤が導入され、検知素子１０３ａの多孔質の孔内に上記検知剤が担持されているものとなる。【選択図】  図１
2008224590.tif 000002
【特許請求の範囲】
【請求項１】
ガラスからなる多孔体と、
前記多孔体の孔内に配置されたシッフ試薬及び酸よりなる検知剤と
を備えることを特徴とするホルムアルデヒド検知素子。
【請求項２】
請求項１記載のホルムアルデヒド検知素子において、
前記シッフ試薬は、塩基性フクシンより作製されたものである
ことを特徴とするホルムアルデヒド検知素子。
【請求項３】
請求項１又は２記載のホルムアルデヒド検知素子において、
前記酸は、リン酸である
ことを特徴とするホルムアルデヒド検知素子。
【請求項４】
請求項１又は２記載のホルムアルデヒド検知素子において、
前記酸は、濃硫酸である
ことを特徴とするホルムアルデヒド検知素子。
【請求項５】
請求項１〜４のいずれか１項に記載のホルムアルデヒド検知素子において、
前記多孔体は、孔径が２０ｎｍ以下である
ことを特徴とるホルムアルデヒド検知素子。
【発明の詳細な説明】
【技術分野】
【０００１】
本発明は、空気中に存在するホルムアルデヒドを検出するホルムアルデヒド検知素子に関する。
【背景技術】
【０００２】
室内環境汚染の原因物質の１つとしてホルムアルデヒドが問題となっている。ホルムアルデヒドは、新築の住宅に用いられている建材や家具などより室内中に発散し、化学物質過敏症の人にとっては、シックハウス症候群を引き起こす原因の一つとされている。
【０００３】
このため、例えば、室内の換気の契機とするためなどに、ホルムアルデヒドの空気中濃度を簡便に測定する検知テープ（特許文献１参照）や検知紙（特許文献２参照）などが提案されている。例えば、特許文献１の技術では、ヒドロキシルアミンの塩酸塩及び酸性領域に変色域を有する水素イオン濃度指示薬を多孔質担体に展開してホルムアルデヒド検知テープとしている。この検知テープによれば、相対湿度が８０％以上という高湿度領域においては、ホルムアルデヒドを用いた消毒後に空気中に残留する数ｐｐｍのホルムアルデヒドを検出することが可能とされている。
【０００４】
また、特許文献２の技術では、メチルイエロー，メチルオレンジ，ベンジルオレンジ，及びトロペオリンなどの水素イオン濃度指示薬と、硫酸ヒドロキシルアミンとを多孔質担体上に展開してホルムアルデヒド検知紙としている。この検知紙によれば、相対湿度３０％環境下で０．３から４ｐｐｍのホルムアルデヒドを検出することが可能とされている。
【０００５】
また、４−アミノ−３−ヒドラジノ−５−メルカプト−１，２，４−トリアゾールのアルカリ水溶液で湿潤したフィルターを用いることで、０．０４−１０ｐｐｍのホルムアルデヒドを検出する測定方法もある（特許文献３参照）。この方法によると、０．０４−１０ｐｐｍのホルムアルデヒドが検出可能とされている。
【０００６】
また、ＸＤ−ＸＡ０１（4-amino-4-phenylbut-3-en-2-one）とリン酸などの緩衝液とを含む発色液を、シリカゲルを含有する基材（吸着体）に含侵させて溶媒を揮散させて構成したホルムアルデヒド検知材もある（非特許文献１参照）。この検知材によれば、０．０５−０．７ｐｐｍのホルムアルデヒドの検出が可能とされている。
【０００７】
【特許文献１】特開平０７−０５５７９２号公報
【特許文献２】特開平０７−２２９８８９号公報
【特許文献３】特開２００３−２４７９８９号公報
【非特許文献１】Y.Suzuki, et al. "Portable Sick House Syndrome Gas Monitoring System Based on Novel Colorimetric Reagents for the Highly Selective and Sensitive Detection of Formaldehyde", Environ. Sci. Technol., 2003, 37, 5695-5700.
【発明の開示】
【発明が解決しようとする課題】
【０００８】
しかしながら、上述した従来の測定技術では、以下に示すように、空気（大気）中に含まれているホルムアルデヒドを、高精度にかつ簡便に測定することができないという問題があった。まず、特許文献１の検知テープでは、使用環境が高湿度下に限られるため、測定条件の規制が大きいという不都合がある。また、特許文献２の検知紙では、環境基準値の０．０８ｐｐｍの測定は不可能であるという不都合がある。また、特許文献３の方法では、測定の直前にフィルターを溶液で湿潤させる工程が含まれるという不都合がある。
【０００９】
また、非特許文献１の検知材では、基材が不透明であるため、検知材の色の変化を測定するには反射光を測定する必要があり、精度が十分でないという不都合があった。また精度を向上させるためポンプ等を用いて単位時間当たり通過させる空気量を多くするために電力を必要とするという不都合があった。
【００１０】
本発明は、以上のような問題点を解消するためになされたものであり、空気中に含まれているホルムアルデヒドを、高精度にかつ簡便に測定可能にすることを目的とする。
【課題を解決するための手段】
【００１１】
本発明に係るホルムアルデヒド検知素子は、ガラスからなる多孔体と、この多孔体の孔内に配置されたシッフ試薬及び酸よりなる検知剤とを備えるようにしたものである。ホルムアルデヒド検知素子の孔内にホルムアルデヒドが浸入すると、孔内に配置されたシッフ試薬とホルムアルデヒドが反応する。
【００１２】
上記ホルムアルデヒド検知素子において、シッフ試薬は、塩基性フクシンより作製されたものである。また、酸は、リン酸であればよい。また、酸は、濃硫酸であればよい。なお、多孔体は、孔径が２０ｎｍ以下であればよい。
【発明の効果】
【００１３】
以上説明したように、本発明によれば、ガラスからなる多孔体の孔内に、シッフ試薬及び酸よりなる検知剤を備える（配置する）ようにしたので、空気中に含まれているホルムアルデヒドを、高精度にかつ簡便に測定することができるようになるという優れた効果が得られる。
【発明を実施するための最良の形態】
【００１４】
以下、本発明の実施の形態について図を参照して説明する。
［実施の形態１］
はじめに、本発明の実施の形態１におけるホルムアルデヒド検知素子について、検知素子の作製方法とともに説明する。まず、ホルムアルデヒド検知素子の作製方法について説明すると、図１（ａ）に示すように、塩基性フクシンより作製されたシッフ試薬５．０ｍｌと例えば質量パーセント濃度が９６％の濃硫酸１ｍｌとを水に溶解して全量を１１ｍｌとした検知剤溶液１０１を、容器１０２の中に作製する。ここで、シッフ試薬について説明する。まず、塩基性フクシン０．２ｇを１２０ｍｌの熱水（熱湯）に溶解させ、これらを冷却した後、無水亜硫酸ナトリウム２．０ｇ及び濃塩酸（１２Ｎ）２ｍｌを加えて上記シッフ試薬とする。よく知られているように、シッフ試薬は、塩基性フクシンを亜硫酸ナトリウムにより脱色させることで作製されたもである。
【００１５】
次に、図１（ｂ）に示すように、検知剤溶液１０１に、平均孔径４ｎｍの多孔質ガラスである多孔体１０３を浸漬する。多孔体１０３は、例えば、コーニング社製のバイコール＃７９３０である。バイコール＃７９３０は平均孔径４ｎｍの複数の細孔を有する多孔体である。また、多孔体１０３は、例えば、８（ｍｍ）×８（ｍｍ）で厚さ１（ｍｍ）のチップサイズである。なお、多孔体１０３は、平均孔径が２０ｎｍ以下であるとよい。
【００１６】
多孔体１０３をガラス（硼珪酸ガラス）から構成した場合、この平均孔径を２０ｎｍ以下とすることで、可視ＵＶ波長領域（波長２００〜２０００ｎｍ）での透過スペクトルの測定において、可視光領域（３５０〜８００ｎｍ）では光が透過する。しかし、平均孔径が２０ｎｍを越えて大きくなると、可視領域で急激な透過率の減少が観測されることが判明している（特許第３６３９１２３号公報）。このことにより、多孔体は、平均孔径が２０ｎｍ以下とした方がよい。本実施の形態１における多孔体１０３の比表面積は１ｇ当たり１００ｍ2以上である。なお、多孔体１０３は、多孔質ガラスに限らず、シッフ試薬など担持する検知剤（検知溶液）と反応しない透明な（透光性を有する）材料から構成されていてもよい。
【００１７】
上述した多孔体１０３を検知剤溶液１０１に２４時間浸漬し、多孔体１０３の孔内に検知剤溶液を含浸させた後、検知剤が含浸した多孔体１０３を風乾し、図１（ｃ）に示すように、窒素ガス気流中に２４時間放置して乾燥し、検知素子（ホルムアルデヒド検知素子）１０３ａを作製する。従って、検知素子１０３ａには、シッフ試薬及び酸（硫酸：Ｈ2ＳＯ4）よりなる検知剤が導入され、検知素子１０３ａの多孔質の孔内に上記検知剤が担持されているものとなる。このように構成された検知素子１０３によれば、孔内にホルムアルデヒドが浸入すると、孔内に配置されたシッフ試薬とホルムアルデヒドが反応し、脱色されたフクシンの色が発現するようになる。なお、ここでは検知素子１０３ａを板状としたが、これに限るものではなく、ファイバ状に形成するようにしても良い。
【００１８】
上述した本実施の形態１におけるホルムアルデヒド検知素子によれば、測定対象のホルムアルデヒドを溶液に溶解させておく必要がなく、また、室温程度の低温の状態でも検知可能である。本実施の形態１における検知素子によれば、検知剤が、多孔質ガラスの複数の孔内に担持されているために、この孔内に滲入してきた気体のホルムアルデヒドと、孔内に担持されているシッフ試薬を含む検知剤との反応が、室温においても進行するものと考えられる。
【００１９】
上述した多孔質ガラスの複数の孔内のガラス表面では、ここに吸着されて互いに近距離に存在する状態となった各物質（分子）が、室温の熱エネルギーによりこれら距離感を自由に移動できる状態となり、反応性の高い特殊な状態になるものと考えられる。このため、多孔質ガラスの孔内では、ここに滲入してきた気体のホルムアルデヒドと、孔内に担持されているシッフ試薬を含む検知剤との反応が、進行するものと考えられ、本発明のホルムアルデヒド検知素子を用いた測定では、ガス状のホルムアルデヒドであっても、室温において高感度に測定が行えるものと考えられる。
【００２０】
次に、検知素子１０３ａを用いたホルムアルデヒドの検出方法について説明すると、まず、検知素子１０３ａの厚さ方向の吸光度を測定する。例えば、図１（ｄ）に示すように、光強度Ｉ0の入射光を透過させた透過光の強度Ｉを測定し、これらより吸光度（＝ｌｏｇ10（Ｉ0／Ｉ））を求める。
【００２１】
次に、図１（ｅ）に示すように、例えば、１ｐｐｍの濃度のホルムアルデヒドが存在する測定対象の空気１０４中に、検知素子１０３ａを１時間暴露する。この暴露は、例えば室温（約２０℃）の状態で行う。この後、測定後の検知素子１０３ｂを測定対象の空気１０４中より取り出し、図１（ｆ）に示すように、検知素子１０３ｂの厚さ方向の吸光度を再び測定する。
【００２２】
上述した２回の吸光度の測定（吸光光度分析）結果を図２に示す。なお透過光測定波長３５０ｎｍ以下の吸収は、検知素子を構成する多孔質ガラス（バイコール＃７９３０）自体の吸収である。図２では、測定対象の空気に暴露する（晒す）前の吸光度の測定結果を破線で示し、暴露した後の吸光度の測定結果を実線で示す。図２に示すように、波長３５０〜６００ｎｍの範囲、特に波長４２４ｎｍ及び波長５７６ｎｍ付近において、実線と破線との間に大きな違いが見られる。測定前の検知素子１０３ａは、図２中に実線で示すように、波長４２４ｎｍを中心とした吸収を持つ吸光特性を有している。これに対し、測定後の検知素子１０３ｂは、図２中に点線で示すように、波長４０５ｎｍを中心とした小さな吸収と波長５７６ｎｍを中心とした大きな吸収とを持つ吸収特性を有している。
【００２３】
このように、ホルムアルデヒドが含まれる空気に検知素子を暴露した後の吸光度の測定（実線）では、波長４２４ｎｍを中心とした吸収が減少し、波長５７６ｎｍ付近を中心とした吸収が増加している。これは、検知素子１０３ａに導入されている検知剤（シッフ試薬）が、ホルムアルデヒドと反応して色を変化させたことを示し、検知剤を構成している色素が別の色素に変化したものと考えられる。言い換えると、検知素子１０３ａを構成している多孔体の孔内において、ホルムアルデヒドと反応することで、検知剤を構成している色素分子の構造と電子状態が変化して可視〜近赤外領域の吸収スペクトルが変化したものと考えられる。従って、本実施の形態１におけるホルムアルデヒド検知素子における光吸収の変化の測定や、色の変化の観察により、ホルムアルデヒドの測定及び定量などの測定が可能となる。例えば、黄緑色発光ダイオード（中心波長５７２ｎｍ）からの光の透過率を測定することで上記光吸収の変化が検出可能である。
【００２４】
次に、本実施の形態１におけるホルムアルデヒド検知素子を用いた測定例について説明する。例えば、ホルムアルデヒドの濃度を０．００７〜２０ｐｐｍの濃度範囲で作製した試料空気に、本実施の形態１のホルムアルデヒド検知素子を、１時間暴露する。この暴露の前と後とにおける検知素子の、波長５７２ｎｍにおける透過吸光度の差と、試料空気におけるホルムアルデヒド濃度との関係を調べると、図３に示すようになり、ホルムアルデヒド濃度が高い試料空気に暴露された検知素子ほど、吸光度の差が大きいものとなる。また、ホルムアルデヒドの濃度が７ｐｐｂと極低濃度であっても検出されており、高感度でホルムアルデヒドの検出が可能であることが分かる。
【００２５】
一方、試料空気に本実施の形態１のホルムアルデヒド検知素子を、１時間暴露した場合と２時間暴露した場合とを比較すると、これらの間に上述したような吸光度の差はない。また、一度ホルムアルデヒドを検出した本実施の形態１におけるホルムアルデヒド検知素子を、ホルムアルデヒドがほとんどない空気中（室内）に放置すると、検知素子の吸光度が、徐々に図２の実線で示す測定前の状態に戻る。また、このように、もとの状態に戻った検知素子により、再度、前述同様にホルムアルデヒドの測定が可能である。このように、本発明におけるホルムアルデヒド検知素子におけるホルムアルデヒドの検知は、ホルムアルデヒドとの可逆的な反応を基本とするものと考えられる。
【００２６】
以上に説明したように、本実施の形態１におけるホルムアルデヒド検知素子によれば、光を透過する多孔質ガラスである多孔体を基質とし、この複数の孔内に塩基性フクシンより作製されたシッフ試薬含む検知剤を担持させたので、空気中に含まれるｐｐｂレベルの極微量なホルムアルデヒドを、精度良く測定することが可能となる。
【００２７】
前述した本実施の形態１におけるホルムアルデヒド検知素子を用いた測定装置としては、例えば、発光光の中心波長が５７２ｎｍの黄緑色発光ダイオードとフォトディテクターとの間に本検知素子を配置し、検知素子からの透過光をフォトディテクターで検出可能とし、フォトディテクターからの出力信号を処理して検知素子の吸光度の変化を出力する構成とすればよい。このような簡便な装置構成で、上述した極微量なホルムアルデヒドの測定が容易に行える。また、本装置によれば、上記検知素子が再利用可能である。
【００２８】
［実施の形態２］
次、本発明の実施の形態２におけるホルムアルデヒド検知素子について、検知素子の作製方法とともに説明する。はじめに、ホルムアルデヒド検知素子の作製方法について説明する。以下でも、実施の形態１と同様に図１（ａ）〜図１（ｆ）を用いて説明する。まず、図１（ａ）に示すように、塩基性フクシンより作製されたシッフ試薬５．０ｍｌとリン酸１ｍｌとを水に溶解して全量を１１ｍｌとした検知剤溶液１０１を、容器１０２の中に作製する。ここで、シッフ試薬について説明する。まず、塩基性フクシン０．２ｇを１２０ｍｌの熱水（熱湯）に溶解させ、これらを冷却した後、無水亜硫酸ナトリウム２．０ｇ及び濃塩酸（１２Ｎ）２ｍｌを加えて上記シッフ試薬とする。
【００２９】
次に、図１（ｂ）に示すように、検知剤溶液１０１に、平均孔径４ｎｍの多孔質ガラスである多孔体１０３を浸漬する。多孔体１０３は、例えば、コーニング社製のバイコール＃７９３０である。バイコール＃７９３０は平均孔径４ｎｍの複数の細孔を有する多孔体である。また、多孔体１０３は、例えば、８（ｍｍ）×８（ｍｍ）で厚さ１（ｍｍ）のチップサイズである。なお、多孔体１０３は、前述したように、平均孔径が２０ｎｍ以下であるとよい。
【００３０】
上述した多孔体１０３を検知剤溶液１０１に２４時間浸漬し、多孔体１０３の孔内に検知剤溶液を含浸させた後、検知剤が含浸した多孔体１０３を風乾し、図１（ｃ）に示すように、窒素ガス気流中に２４時間放置して乾燥し、検知素子（ホルムアルデヒド検知素子）１０３ａを作製する。従って、検知素子１０３ａには、シッフ試薬及び酸（リン酸：Ｈ3ＰＯ4）よりなる検知剤が導入され、検知素子１０３ａの多孔質の孔内に上記検知剤が担持されているものとなる。このように構成された検知素子１０３によれば、孔内にホルムアルデヒドが浸入すると、孔内に配置されたシッフ試薬とホルムアルデヒドが反応する。なお、ここでは検知素子１０３ａを板状としたが、これに限るものではなく、ファイバ状に形成するようにしても良い。
【００３１】
次に、検知素子１０３ａを用いたホルムアルデヒドの検出方法について説明すると、まず、検知素子１０３ａの厚さ方向の吸光度を測定する。例えば、図１（ｄ）に示すように、光強度Ｉ0の入射光を透過させた透過光の強度Ｉを測定し、これらより吸光度（＝ｌｏｇ10（Ｉ0／Ｉ））を求める。
【００３２】
次に、図１（ｅ）に示すように、例えば、１ｐｐｍの濃度のホルムアルデヒドが存在する測定対象の空気１０４中に、検知素子１０３ａを１時間暴露する。この暴露は、例えば室温（約２０℃）の状態で行う。この後、測定後の検知素子１０３ｂを測定対象の空気１０４中より取り出し、図１（ｆ）に示すように、検知素子１０３ｂの厚さ方向の吸光度を再び測定する。
【００３３】
上述した２回の吸光度の測定（吸光光度分析）結果を図４に示す。なお透過光測定波長３５０ｎｍ以下の吸収は、検知素子を構成する多孔質ガラス（バイコール＃７９３０）自体の吸収である。図４では、測定対象の空気に暴露する（晒す）前の吸光度の測定結果を破線で示し、暴露した後の吸光度の測定結果を実線で示す。図４に示すように、波長３５０〜６００ｎｍの範囲、特に波長４２４ｎｍ及び波長５７６ｎｍ付近において、実線と破線との間に大きな違いが見られる。測定前の検知素子１０３ａは、図４中に実線で示すように、波長４２４ｎｍを中心とした大きな吸収と、波長５６６ｎｍを中心とした小さな吸収とを持つ吸光特性を有している。これに対し、測定後の検知素子１０３ｂは、図４中に点線で示すように、波長４０５ｎｍを中心とした小さな吸収と波長５７６ｎｍを中心とした大きな吸収とを持つ吸収特性を有している。
【００３４】
このように、ホルムアルデヒドが含まれる空気に検知素子を暴露した後の吸光度の測定（実線）では、波長４２４ｎｍを中心とした吸収が減少し、波長５７６ｎｍ付近を中心とした吸収が増加している。これは、前述同様に、検知素子１０３ａに導入されている検知剤（シッフ試薬）が、ホルムアルデヒドと反応して色を変化させたことを示し、検知剤を構成している色素が別の色素に変化したものと考えられる。言い換えると、検知素子１０３ａを構成している多孔体の孔内において、ホルムアルデヒドと反応することで、検知剤を構成している色素分子の構造と電子状態が変化して可視〜近赤外領域の吸収スペクトルが変化したものと考えられる。従って、本実施の形態２におけるホルムアルデヒド検知素子における光吸収の変化の測定や、色の変化の観察により、ホルムアルデヒドの測定及び定量などの測定が可能となる。例えば、黄緑色発光ダイオード（中心波長５７２ｎｍ）からの光の透過率を測定することで上記光吸収の変化が検出可能である。
【００３５】
次に、本実施の形態２におけるホルムアルデヒド検知素子を用いた測定例について説明する。例えば、ホルムアルデヒドの濃度を０．００７〜３ｐｐｍの濃度範囲で作製した試料空気に、本実施の形態２のホルムアルデヒド検知素子を、１時間暴露する。この暴露の前と後とにおける検知素子の、波長５７２ｎｍにおける透過吸光度の差と、試料空気におけるホルムアルデヒド濃度との関係を調べると、図５に示すようになり、ホルムアルデヒド濃度が高い試料空気に暴露された検知素子ほど、吸光度の差が大きいものとなる。また、ホルムアルデヒドの濃度が７ｐｐｂと極低濃度であっても検出されており、高感度でホルムアルデヒドの検出が可能であることが分かる。
【００３６】
一方、試料空気に本実施の形態２のホルムアルデヒド検知素子を、１時間暴露した場合と２時間暴露した場合とを比較すると、これらの間に上述したような吸光度の差はない。また、一度ホルムアルデヒドを検出した本実施の形態２におけるホルムアルデヒド検知素子を、ホルムアルデヒドがほとんどない空気中（室内）に放置すると、検知素子の吸光度が、徐々に図４の実線で示す測定前の状態に戻る。また、このように、もとの状態に戻った検知素子により、再度、前述同様にホルムアルデヒドの測定が可能である。このように、本発明におけるホルムアルデヒド検知素子におけるホルムアルデヒドの検知は、ホルムアルデヒドとの可逆的な反応を基本とするものと考えられる。
【００３７】
以上に説明したように、本実施の形態２におけるホルムアルデヒド検知素子によれば、光を透過する多孔質ガラスである多孔体を基質とし、この複数の孔内に塩基性フクシンより作製されたシッフ試薬含む検知剤を担持させたので、空気中に含まれるｐｐｂレベルの極微量なホルムアルデヒドを、精度良く測定することが可能となる。
【００３８】
前述した本実施の形態２におけるホルムアルデヒド検知素子を用いた測定装置としても、例えば、発光光の中心波長が５７２ｎｍの黄緑色発光ダイオードとフォトディテクターとの間に本検知素子を配置し、検知素子からの透過光をフォトディテクターで検出可能とし、フォトディテクターからの出力信号を処理して検知素子の吸光度の変化を出力する構成とすればよい。このような簡便な装置構成で、上述した極微量なホルムアルデヒドの測定が容易に行える。また、本装置によれば、上記検知素子が再利用可能である。
【００３９】
また、上述したホルムアルデヒド検知素子における吸光度の変化は、色の変化として目視により確認容易である。例えば、波長５５０〜６００ｎｍ付近の光吸収強度が、５段階に変化しているカラーチャートを用意し、このカラーチャートとの比較により、各ホルムアルデヒド検知素子における色の変化を、評価値が大きいほど色が濃く観察されたことを示す５段階で評価する。予めホルムアルデヒドの濃度が既知の試料空気を用意してこれを測定し、この測定結果を上記カラーチャートで評価しておくことで、カラーチャートの５段階の色毎にホルムアルデヒドの濃度値を割り当てる。このようにして、濃度値が割り当てられたカラーチャートを用い、測定後のホルムアルデヒド検知素子の色を目視で評価すれば、測定した空気中におけるホルムアルデヒドの濃度が判断できる。
【図面の簡単な説明】
【００４０】
【図１】本発明の実施の形態におけるホルムアルデヒド検知素子について説明するための説明図である。
【図２】実施の形態１におけるホルムアルデヒド検知素子を用いた測定における、ホルムアルデヒドを測定対象とした前後２回の吸光度の測定結果を示す特性図である。
【図３】ホルムアルデヒドの濃度を０．００７〜２０ｐｐｍの濃度範囲で作製した試料空気に、実施の形態１におけるホルムアルデヒド検知素子を１時間暴露することによる測定の結果を示す特性図である。
【図４】実施の形態２におけるホルムアルデヒド検知素子を用いた測定における、ホルムアルデヒドを測定対象とした前後２回の吸光度の測定結果を示す特性図である。
【図５】ホルムアルデヒドの濃度を０．００７〜３ｐｐｍの濃度範囲で作製した試料空気に、実施の形態２におけるホルムアルデヒド検知素子を１時間暴露することによる測定の結果を示す特性図である。
【符号の説明】
【００４１】
１０１…検知剤溶液、１０２…容器、１０３…多孔体、１０３ａ…検知素子（ホルムアルデヒド検知素子）、１０３ｂ…測定後の検知素子、１０４…測定対象の空気。
【図１】
2008224590.tif 000003
【図２】
2008224590.tif 000004
【図３】
2008224590.tif 000005
【図４】
2008224590.tif 000006
【図５】
2008224590.tif 000007